(57)【特許請求の範囲】
【請求項１】
互いに順次離して配置してねじ（８，１８，２８）を収容する複数個の収容チャンバ（９，１９，２９）を設けた帯状ねじマガジンにおいて、前記ねじマガジンの長手方向に平行に延在する互いに離れた２個の側壁（１，１１，２１）と、これら側壁（１，１１，２１）に対して直交してねじマガジンの長手方向に互いに離れる複数個の連結ウェブ（２，１２，２２）とにより、ねじマガジンの長手方向に順次に配列した、方形の収容チャンバ（９，１９，２９）を画定し、これら方形の収容チャンバ（９，１９，２９）の各中心に、ねじ（８，１８，２８）のシャフトを収容するよう収容スリーブ（６，１６，２６）を設け、これら収容スリーブには少なくとも２個の予定破断部（５，２５）を設け、これら収容スリーブ（６，１６，２６）の周囲にほぼ等間隔に分布させた少なくとも２個の支持アーム（３，１３，２３）によって、前記方形の収容チャンバ（９，１９，２９）を画定する前記側壁（１，１１，２１）及び／又は連結ウェブ（２，１２，２２）に、前記収容スリーブ（６，１６，２６）を連結したことを特徴とする帯状ねじマガジン。
【請求項２】
各支持アーム（３，１３，２３）を前記収容チャンバ（９，１９，２９）のコーナーに連結した請求項１記載の帯状ねじマガジン。
【請求項３】
前記収容チャンバ（９，１９，２９）の各々の中心軸線に平行に延在する方向に測った収容スリーブ（６，１６，２６）の高さ（Ｈ１，Ｈ２，Ｈ３）を、少なくとも前記支持アーム（３，１３，２３）の同一方向に測った厚さ（Ｄ１，Ｄ２，Ｄ３）に等しくした請求項１又は２記載の帯状マガジン。
【請求項４】
前記収容チャンバ（９，１９，２９）の中心軸線に平行な方向に測った連結ウェブ（２，１２）の高さ（Ｖ１，Ｖ２，Ｖ３）を、少なくとも支持アーム（３，１３，２３）の同一方向に測った厚さ（Ｄ１，Ｄ２，Ｄ３）に等しくした請求項１乃至３のうちのいずれか一項に記載の帯状ねじマガジン。
【請求項５】
前記収容チャンバ（９，１９，２９）の各々の中心軸線に平行に測った連結ウェブ（２，１２，２２）の高さ（Ｖ１，Ｖ２，Ｖ３）を、多くとも側壁（１，１１，２１）の同一方向に測った高さ（Ｓ１，Ｓ２，Ｓ３）に等しくした請求項１乃至４のうちのいずれか一項に記載の帯状ねじマガジン。
【請求項６】
前記連結ウェブ（２，１２）を、側壁（１，１１）の高さ（Ｓ１，Ｓ２）に関して中間位置に配置した請求項１乃至５のうちのいずれか一項に記載の帯状ねじマガジン。
【請求項７】
前記側壁（２１）の長手方向端縁（２１ｂ）の領域ず前記連結ウェブ（２２）を前記側壁（２１）に連結した請求項１乃至５のうちのいずれか一項に記載の帯状ねじマガジン。
【請求項８】
前記両側の側壁（１，２１）のうちの一方の少なくとも一方の長手方向端縁（１ａ、２１ａ）に複数個の送り刻み目（Ｔ１，Ｔ３）を設けた請求項１乃至７のうちのいずれか一項に記載の帯状ねじマガジン。
【請求項９】
両側の側壁（１，１１，２１）のうちの少なくとも一方の長手方向端縁（１ａ，１ｂ；１１ａ，１１ｂ；２１ａ，２１ｂ）の連結ウェブ（２，１２，２２）の領域にそれぞれ窪み（４，１４，２４）を設けた請求項１乃至８のうちのいずれか一項に記載の帯状マガジン。
【請求項１０】
両側の側壁（１，１１，２１）のうちの少なくとも一方に窪み（４，１４，２４）を配置し、側方拡大部（３１）を突出させ、この側方拡大部（３１）はねじマガジンの長手方向に平行に延在する方向に、各前記窪み（４，１４，２４）の領域で切除した請求項１乃至９のうちのいずれか一項に記載の帯状マガジン。
【発明の詳細な説明】
【０００１】
【発明の属する技術分野】
本発明は、互いに順次離して配置してねじを収容する複数個の収容チャンバを設けた帯状ねじマガジンに関するものである。
【０００２】
【従来の技術】
独国特許第２９６１９３２１号明細書には、帯状の支持細条として構成し、長手方向に互いに離して配置した収容チャンバを設けたた帯状ねじマガジンが記載されている。各収容チャンバにはねじのシャフトに適合する孔を設け、これら孔の周方向に互いに等間隔に分布させ、半径方向に延在する複数個のスリットを設ける。これらスリットは、支持細条の孔の周囲の部分を、４個のほぼ等しい舌状部に分割し、ねじマガジンからねじを押し抜くよう圧力を加えると、これら舌状部は、ねじのヘッドによって弾性的に湾曲する。
【０００３】
【発明が解決しようとする課題】
このような既知のねじマガジンは、ねじをねじ込む方向に平行に極めて容易に弾性変形してしまうという欠点、及びねじをねじマガジンから押し抜くのに極めて大きな力を必要とするという欠点があった。
【０００４】
従って、本発明の目的は、ねじのねじ込み方向に平行に高い剛性を示し、またねじ自体は大きなヘッドを有し、また大きな直径を有する座金によって支持されて、ねじマガジンから容易かつ簡単に、また迅速に押し抜くことができるねじマガジンを得るにある。
【０００５】
この目的を達成するため、本発明は、互いに順次離して配置してねじを収容する複数個の収容チャンバを設けた帯状ねじマガジンにおいて、前記ねじマガジンの長手方向に平行に延在する互いに離れた２個の側壁間で、しかもこれら側壁に対して直交してねじマガジンの長手方向に互いに離れる複数個の連結ウェブを設け、ほぼ方形に構成した収容チャンバの各々の中心に、ねじのシャフトを収容するよう収容スリーブを設け、これら収容スリーブには少なくとも２個の予定破断部を設け、これら収容スリーブの周囲にほぼ等間隔に分布させた少なくとも２個の支持アームによって収容スリーブを前記側壁及び／又は連結ウェブに連結したことを特徴とする。
【０００６】
側壁は、ねじをねじマガジンから押し抜く際の圧力を支持する作用を行う。この側壁の横断面をほぼ方形形状であり、この横断面の長手方向側辺は収容チャンバの中心軸線に平行に延在する。ほぼ方形の収容チャンバによれば、側壁相互間並びに連結ウェブ相互間の距離が、ねじを支持するねじヘッド又はシール座金又はワッシャの大きな直径よりも大きくなる。各収容チャンバの中心領域に配置した収容スリーブに予定破断部を設けたため、各収容スリーブは、収容チャンバの長手方向軸線に平行な力をねじに加えてねじを押し抜く際に、いくつかの予定破断部に対応するスリーブ断片として互いに破断する。収容スリーブは、例えば、２又は３又は４個の予定破断部を設けることができる。各スリーブ部分にはそれぞれ１個の支持アームを連結し、力がねじヘッド又はシール座金又はワッシャを介して収容スリーブに加わるとき同一方向に弾性的に湾曲する。しかし、このことはスリーブ部分を２個の支持アームで連結する場合でも可能である。
【０００７】
収容スリーブが破断するとき支持アームが容易に撓むようにするため、支持アームは所定の最小長さにしなければならない。この最小長さは、ねじマガジンの長手方向に対して各支持アームがほぼ対角線方向に配列し、収容チャンバの各コーナーに連結すると好適である。このような対角線配置によれば、ねじを支持するねじヘッド又はシール座金の押し抜きの自由空間を拡張することができる。
【０００８】
収容スリーブにねじを安定的に案内することができるようにするため、収容チャンバの中心軸線に平行な方向に測った収容スリーブの高さを、少なくとも同じ方向に測った支持アームの厚さに等しくする。
【０００９】
製造上の理由から、収容チャンバの中心軸線に平行に測った各連結ウェブの高さを、少なくとも同じ方向に測った支持アームの厚さに等しくする。更に、収容チャンバの中心軸線に平行に測った連結ウェブの高さは、多くとも、同一方向に測った側壁の高さに等しくする。
【００１０】
一定の力を作用させる際にねじマガジンが互いに反対向きの２方向に一様に曲がるようにするためには、連結ウェブを側壁の高さの中間に配置すると好適である。
【００１１】
ねじマガジンをほぼＵ字状輪郭にすると、側壁の長手方向端縁の領域で連結ウェブを側壁に連結することができて好適である。
【００１２】
ねじマガジンに対応の送り装置によるねじマガジンの送りを行うことができるようにするため、少なくとも一方の側壁の少なくとも一方の長手方向端縁に複数個の送り用の刻み目を設けると好適である。
【００１３】
例えば、ねじマガジン全体がねじ込み方向に曲がり安くするためには、連結ウェブの各領域で両側の側壁の曲げ方向とは反対方向の長手方向端縁に窪みを形成すると好適である。
【００１４】
更に、ねじマガジンのねじ込み方向に対向する支持又は案内面を、長手方向端縁に連続する側方に突出する拡大部として構成し、この拡大部に切除部を設けると好適である。これら側方拡大部はストリップの形状とし、窪みの領域は切除する。
【００１５】
側壁、連結ウェブ及び支持アームの横断面はほぼ矩形形状に形成する。しかし、連結ウェブ及び支持アームは、ほぼ円形の横断面形状にすることもできる。
【００１６】
支持アームは、ねじをねじマガジンから押し抜くとき破断又は曲がるようにすると好適である。
【００１７】
【発明の実施の形態】
次に、図面につき本発明の好適な実施の形態を説明する。
【００１８】
図１乃至図６に示す帯状ねじマガジンには順次配列した複数個の収容チャンバ９，１９，２９を設け、これら収容チャンバ９，１９，２９の各々にそれぞれ１個のねじを収容し、座金１０，２０，３０とともに支持する。これら収容チャンバ９，１９，２９は、２個の互いに離れ、かつねじマガジンの長手方向に平行に延在する側壁１，１１，２１間に、並びに前記側壁１，１１，２１間でねじマガジンの長手方向に直交する方向に延在する互いに離れた複数個の連結ウェブ２，１２，２２間に設ける。
【００１９】
各収容チャンバ９，１９，２９は方形形状にし、中心領域にはねじ８，１８，２８のための収容スリーブ６，１６，２６を設ける。収容スリーブ６，１６，２６の内径又は孔７，１７，２７は、ねじ８，１８，２８のシャフト外形にほぼ等しいものとする。収容スリーブ６，１６，２６の周方向に等間隔に配置した少なくとも４個の、例えば、弾性を有する構造の支持アーム３，１３，２３により、各収容スリーブ６，１６，２６を、側壁１，１１，２１及び連結ウェブ２，１２，２２で構成されるコーナーに連結する。各収容スリーブ６，１６，２６に破断予定部５，２５を設けることにより、収容スリーブ６，１６，２６に支持したねじ８，１８，２８をねじマガジンから押し抜く圧力を加えたとき、収容スリーブ６，１６，２６が制御された分断を生ずる。
【００２０】
ねじ８，１８，２８の収容スリーブ６，１６，２６における安定的な案内は、例えば、各収容チャンバ９，１９，２９の中心軸線に平行に測った収容スリーブ６，１６，２６の高さＨ１，Ｈ２，Ｈ３を、少なくとも支持アーム３，１３，２３の同じ方向に測った厚さＤ１，Ｄ２，Ｄ３に等しくすることによって生ずる。特に、図３に示すように、収容スリーブ１６の高さＨ２は支持アーム１３の厚さＤ２よりも大きくし、また、収容チャンバの中心軸線に平行な方向の連結ウェブ１２の高さＶ２よりも大きくする。
【００２１】
製造技術上の問題から、各収容チャンバ９，１９，２９の中心軸線に平行な方向に測った連結ウェブ２，１２，の高さＶ１，Ｖ２，Ｖ３は、少なくとも、支持アーム３，１３，２３の同一方向に測った厚さＤ１，Ｄ２，Ｄ３等しいものとする。図６に示すねじマガジンは、連結ウェブ２２の高さＶ３は支持アームの厚さＤ３に等しい。図１及び図３の実施例においては連結ウェブ２，１２の高さＶ１，Ｖ２を支持アームの厚さＤ１，Ｄ２よりも大きくする。
【００２２】
帯状ねじマガジンは、ねじれ剛性を高めるには、連結ウェブ２，１２，２２の収容チャンバ９，１９，２９の中心軸線に平行に測った高さＶ１，Ｖ２，Ｖ３を多くとも、同一方向に測った側壁１，１１，２１の高さＳ１，Ｓ２，Ｓ３に等しくする。
【００２３】
側壁１，１１の高さＳ１，Ｓ２に関して、連結ウェブ２，１２は中間位置に配置する。このことを図１及び図３に示す。図４乃至図６に示すねじマガジンは、側壁２１の長手方向端縁２１ｂの領域における連結ウェブ２２が側壁２１に連結している。ねじマガジンを図示しない送り機構によって送ることができるようにするため、側壁１，２１のうちの少なくとも一方の長手方向端縁１ａ，２１ａに複数個の刻み目Ｔ１，Ｔ３を設ける。
【００２４】
ねじマガジンを制御された曲がりを生ずることができるようにするため、例えば、少なくとも両側の側壁１，１１，２１の連結ウェブ２，１２，２２の領域における長手方向端縁１ａ，１ｂ；１１ａ，１１ｂ；２１ａ，２１ｂに窪み４，１４，２４を設ける。
【００２５】
ねじマガジンの案内側面を例えば、側方拡大部３１により構成し、この側方拡大部３１はねじマガジン３１の長さ方向に平行な方向の窪み２４の領域において両側の側壁の少なくとも一方を切除する。
【図面の簡単な説明】
【図１】  本発明ねじマガジンの一部切除した側面図である。
【図２】  図１のねじマガジンの平面図である。
【図３】  本発明ねじマガジンの一部切除した拡大側面図である。
【図４】  本発明ねじマガジンの他の実施例の平面図である。
【図５】  図５のＶ‐Ｖ線上の断面図である。
【図６】  図４のＶＩの方向から見たねじマガジンの側面図である。
【符号の説明】
1,11,21   側壁
2,12,22   連結ウェブ
3,13,23   支持アーム
4,14,24   窪み
5,25      破断予定部
6,16,26   収容スリーブ
7,17,27   孔
8,18,28   ねじ
9,19,29   収容チャンバ
10,20,30  座金
【図１】
0004447834.tif 000002
【図２】
0004447834.tif 000003
【図３】
0004447834.tif 000004
【図４】
0004447834.tif 000005
【図５】
0004447834.tif 000006
【図６】
0004447834.tif 000007